(57)【要約】  【課題】  土地の境界の状態に応じた使用ができる境界杭を提供する。  【解決手段】  土地の境界に立設する境界杭１であって、その境界杭１の上面に、その上面を複数の領域に分割する溝２（２ａ，２ｂ，２ｃ，２ｄ）を有し、上記領域の少なくとも１つの領域に凹部３を備える境界杭１とする。【選択図】  図１
2006078427.tif 000002
【特許請求の範囲】
【請求項１】
土地の境界に立設する境界杭であって、
その境界杭の上面に、その上面を複数の領域に分割する溝を有し、
上記領域の少なくとも１つの領域に凹部を備えることを特徴とする境界杭。
【請求項２】
前記溝は、前記上面から見て、十文字、Ｔ字または一文字のいずれかの形状であることを特徴とする請求項１記載の境界杭。
【請求項３】
土地の境界に立設する境界杭であって、
その境界杭の上面に設けられる１つの凹部と、
その凹部から上記上面における少なくとも２方向の端部に向かって伸びる溝と、
を備えることを特徴とする境界杭。
【請求項４】
前記溝は、十字の溝と、その十字を構成する１本の溝に対して斜め方向に走る溝とから構成されることを特徴とする請求項３記載の境界杭。
【請求項５】
土地の境界に立設する境界杭であって、
その境界杭の上面に、その上面を複数の領域に分割する溝を有し、
上記領域の少なくとも１つの領域に、二次元コードを表面に出した状態で備えられた二次元コード付きブロックを備えることを特徴とする境界杭。
【請求項６】
前記溝は、前記上面から見て、十文字、Ｔ字または一文字のいずれかの形状であることを特徴とする請求項５記載の境界杭。
【請求項７】
土地の境界に立設する境界杭であって、
その境界杭の上面に、
二次元コードを表面に出した状態で備えられた１つの二次元コード付きブロックと、
その二次元コード付きブロックから上記上面における少なくとも２方向の端部に向かって伸びる溝と、
を備えることを特徴とする境界杭。
【請求項８】
前記溝は、十字の溝と、その十字を構成する１本の溝に対して斜め方向に走る溝とから構成されることを特徴とする請求項７記載の境界杭。
【請求項９】
前記溝に蓋を有することを特徴とする請求項１から８のいずれか１項記載の境界杭。
【請求項１０】
前記蓋は、前記溝に複数個備えられ、前記蓋を外して露出させる前記溝の形状を変更可能にしたことを特徴とする請求項９記載の境界杭。
【請求項１１】
前記蓋は、前記境界杭よりも柔らかい材料で形成されていることを特徴とする請求項９記載の境界杭。
【請求項１２】
前記境界杭を石製、コンクリート製または金属製とし、前記蓋を樹脂製またはゴム製としたことを特徴とする請求項１１記載の境界杭。
【発明の詳細な説明】
【技術分野】
【０００１】
本発明は、画地、道路等の土地の境界に立設する境界杭に関する。
【背景技術】
【０００２】
従来から、土地の境界を表示する手段の一つである境界杭が知られている。一般的に、境界杭は、上面を出すように土地の境界に埋設される。上面には、境界のポイントを特定するために、何らかのマークが付けられている（例えば、特許文献１参照。）。
【０００３】
【特許文献１】特開平０９−１８４７２３号公報（特許請求の範囲、要約書等）
【発明の開示】
【発明が解決しようとする課題】
【０００４】
しかしながら、先に示した境界杭の場合、土地の境界を示すマークしか付けられていない。このため、境界杭を探す者は、現地において境界ポイント以外の情報については何ら得ることが出来ない。
【０００５】
このような問題に鑑みて、本発明者は、先に、二次元コードを境界杭に付けることを考えた。二次元コードには比較的多くの情報をコード化できる。このため、その境界杭を埋設した土地の所有者、緯度・経度等を二次元コードとしてコード化することにより、現場で必要に応じて、二次元コードをデコードして情報を入手できる。
【０００６】
しかし、土地の境界に境界杭を埋設する場合、境界の形状および境界に存在する土地の数に応じて境界杭を使い分けることは、多種類の境界杭を用意しなければならず、コストの面、設置の面でも好ましくない。共通の杭を用意して、現地で必要な数だけの二次元コード付きのブロックを適切な場所に付けるようにした方が、より利便性が高い。
【０００７】
本発明は、かかる要望に鑑みてなされたものであり、土地の境界の状態に応じた使用ができる境界杭を提供することを目的とする。
【課題を解決するための手段】
【０００８】
上記目的を達成するため、本発明は、土地の境界に立設する境界杭であって、その境界杭の上面に、その上面を複数の領域に分割する溝を有し、上記領域の少なくとも１つの領域に凹部を備える境界杭としている。このため、土地の区画を分割している境界に対応して、境界杭を立設でき、その区画の内の少なくとも１つの区画の情報を格納した記録媒体を凹部に嵌め込むことによって、当該区画の情報を現場に保持しておくことができる。境界に対応した溝を形成するためには、境界に合致しない溝を埋めると良い。
【０００９】
また、別の本発明は、先の発明における溝を、境界杭の上面から見て、十文字、Ｔ字または一文字のいずれかの形状とする境界杭としている。このため、区画間の境界の形状に適応可能な境界杭を得ることができる。
【００１０】
また、別の本発明は、土地の境界に立設する境界杭であって、その境界杭の上面に設けられる１つの凹部と、その凹部から上記上面における少なくとも２方向の端部に向かって伸びる溝とを備える境界杭としている。このため、区画間の境界の形状に適応し、その区画の内の１つの区画の情報を格納した記録媒体を凹部に嵌め込むことによって、１つの区画の情報を現場に保持させることができる。境界に対応した溝を形成するためには、境界に合致しない溝を埋めると良い。
【００１１】
また、別の本発明は、先の発明における溝を、十字の溝と、その十字を構成する１本の溝に対して斜め方向に走る溝とから構成した境界杭としている。このため、斜め方向に走る溝の方向の地点の情報を現場に保持させることができる。また、十字の溝と斜め方向の溝とで分割された領域の境界にも、この境界杭を立設出来る。
【００１２】
また、別の本発明は、土地の境界に立設する境界杭であって、その境界杭の上面に、その上面を複数の領域に分割する溝を有し、上記領域の少なくとも１つの領域に、二次元コードを表面に出した状態で備えられた二次元コード付きブロックを備える境界杭としている。このため、土地の区画を分割している境界に対応して、境界杭を立設でき、その区画の内の少なくとも１つの区画の情報を現場に保持しておくことができる。境界に対応した溝を形成するためには、境界に合致しない溝を埋めると良い。
【００１３】
また、別の本発明は、先の発明における溝を、境界杭の上面から見て、十文字、Ｔ字または一文字のいずれかの形状とする境界杭としている。このため、区画間の境界の形状に適応可能な境界杭を得ることができる。
【００１４】
また、別の本発明は、土地の境界に立設する境界杭であって、その境界杭の上面に、二次元コードを表面に出した状態で備えられた１つの二次元コード付きブロックと、その二次元コード付きブロックから上記上面における少なくとも２方向の端部に向かって伸びる溝とを備える境界杭としている。このため、区画間の境界の形状に適応し、その区画の内の１つの区画の情報を現場に保持させることができる。境界に対応した溝を形成するためには、境界に合致しない溝を埋めると良い。
【００１５】
また、別の本発明は、先の発明における溝を、十字の溝と、その十字を構成する１本の溝に対して斜め方向に走る溝とから構成した境界杭としている。このため、斜め方向に走る溝の方向の地点の情報を現場に保持させることができる。また、十字の溝と斜め方向の溝とで分割された領域の境界にも、この境界杭を立設出来る。
【００１６】
また、別の本発明は、先の発明における溝に蓋を有する境界杭としている。このため、区画の境界に合うように蓋の一部または全部を除外するだけで、境界杭の上面の溝と境界とが合致する。
【００１７】
また、別の本発明は、先の発明における蓋を溝に複数個備え、蓋を外して露出させる溝の形状を変更可能にした境界杭としている。このため、必要な蓋のみを残して、他を取り外すだけで、境界杭の上面の溝と区画の境界の形状とが合致するようになる。
【００１８】
また、別の本発明は、先の発明における蓋は、境界杭よりも柔らかい材料で形成した境界杭としている。このため、溝に合った蓋を形成しやすく、かつ溝から蓋が容易に外れにくくなる。
【００１９】
特に、境界杭を石製、コンクリート製または金属製とし、蓋を樹脂製またはゴム製とすると、上述の作用は顕著になる。
【発明の効果】
【００２０】
本発明によれば、土地の境界の状態に応じた使用ができる境界杭を提供することができる。
【発明を実施するための最良の形態】
【００２１】
以下、本発明の各実施の形態に係る境界杭について、図面に基づいて説明する。
【００２２】
（第１の実施の形態）
図１および図２は、それぞれ、本発明の第１の実施の形態に係る境界杭１の分解斜視図および同境界杭１の斜視図である。なお、図１および図２では、境界杭１の下方は省略されている。
【００２３】
この境界杭１における地表に露出している面（以後、当該面を「上面」と称する。）は境界杭１の本体から上方にわずかにテーパー状に狭まって形成されている。境界杭１の上面は、十文字形状の溝２によって、４つの領域に分割されている。十文字形状の溝２は、その中心から４方向の直線溝２ａ，２ｂ，２ｃ，２ｄから構成されている。この実施の形態では、直線溝２ａ，２ｂ，２ｃ，２ｄを、境界杭１の長さ方向に略Ｖ字にへこむ溝としているが、かかる形状の溝に限定されない。直線溝２ａ，２ｂ，２ｃ，２ｄを、例えば、Ｕ字形状あるいは四角形状としても良い。
【００２４】
直線溝２ａ，２ｂ，２ｃ，２ｄには、それぞれ、各直線溝２ａ，２ｂ，２ｃ，２ｄを埋める形状の蓋４ａ，４ｂ，４ｃ，４ｄが取り付けられている。この実施の形態では、各蓋４ａ，４ｂ，４ｃ，４ｄの形状は、各蓋４ａ，４ｂ，４ｃ，４ｄを各直線溝２ａ，２ｂ，２ｃ，２ｄに取り付けた状態で境界杭１の上面が平滑になる形状としている。ただし、各蓋４ａ，４ｂ，４ｃ，４ｄの境界杭１の長さ方向における寸法を、各直線溝２ａ，２ｂ，２ｃ，２ｄの深さ方向の寸法より長くしたりあるいは短くして、上面が平滑にならないようにしても良い。
【００２５】
この実施の形態では、各蓋４ａ，４ｂ，４ｃ，４ｄは、ゴム製若しくは軟質若しくは硬質プラスチック製であり、境界杭１はコンクリート製である。各蓋４ａ，４ｂ，４ｃ，４ｄの硬度と境界杭１の硬度とを異なるように、各蓋４ａ，４ｂ，４ｃ，４ｄの材料を選択することにより、各蓋４ａ，４ｂ，４ｃ，４ｄが各直線溝２ａ，２ｂ，２ｃ，２ｄにより密着しやすくなる。例えば、各蓋４ａ，４ｂ，４ｃ，４ｄをゴム製若しくは軟質若しくは硬質プラスチック製とし、境界杭１を金属製としても良い。また、境界杭１をコンクリート製、プラスチック製若しくはゴム製とし、各蓋４ａ，４ｂ，４ｃ，４ｄを金属製若しくはコンクリート製としても良い。
【００２６】
十文字形状の溝２によって分割された、上面における４つの領域には、それぞれ略直方体の凹部３が１つずつ設けられている。各凹部３には、それぞれ１個ずつ、凹部３の形状に合ったタイル５が嵌め込まれている。この実施の形態では、各タイル５の形状は、各タイル５を各凹部３に取り付けた状態で境界杭１の上面が平滑になる形状としている。ただし、各タイル５の境界杭１の長さ方向における寸法を、各凹部３の深さ方向の寸法より長くしたりあるいは短くして、上面が平滑にならないようにしても良い。
【００２７】
各タイル５には、その上面に二次元コード６が付けられている。二次元コード６は、焼き付け、貼付、印刷等のいかなる方法で各タイル５に付けられていても良い。二次元コード６には、特定の土地に関する情報、例えば、その土地の緯度・経度若しくは所有者の情報、その土地に家屋を建てる建設業者若しくは当該家屋の設計業者の名称等の情報、またはその土地に埋設されている水道管等に関する情報がコード化されている。
【００２８】
次に、第１の実施の形態の境界杭１の使用方法について説明する。
【００２９】
図３は、４つの区画Ｐ、Ｑ、ＲおよびＳに分割された土地１０に境界杭１を使用する場合について説明するための図である。（３Ａ）は、その場合に使用される境界杭１の上面を、（３Ｂ）は、境界杭１を土地１０の各区画Ｐ、Ｑ、ＲおよびＳの境界に埋設した状態を上空から見た図である。なお、図３では、境界杭１の上面周辺のテーパー状になっている傾斜部分は省略されている（以後の図面でも同様に省略されている。）。
【００３０】
図３（３Ｂ）に示すように、土地１０の各区画Ｐ、Ｑ、ＲおよびＳの境界に境界杭１を立設する場合には、４つの蓋４ａ，４ｂ，４ｃ，４ｄを４つの直線溝２ａ，２ｂ，２ｃ，２ｄから取り外し、十字形状の溝２を露出させる。図３では、溝２の露出をわかりやすくするため、露出した溝２の部分を斜線で示している。また、各タイル５の二次元コード６には、各区画Ｐ、Ｑ、ＲまたはＳに対応した情報がコード化されるように、各タイル５の位置を決める。こうして、４区画Ｐ，Ｑ，ＲおよびＳに分割された土地１０に、それぞれの区画Ｐ，Ｑ，ＲおよびＳに対応した情報を配置するように境界杭１を立設することができる。
【００３１】
図４は、３つの区画Ｐ、ＲおよびＳに分割された土地１０に境界杭１を使用する場合について説明するための図である。（４Ａ）は、その場合に使用される境界杭１の上面を、（４Ｂ）は、境界杭１を土地１０の各区画Ｐ、ＲおよびＳの境界に埋設した状態を上空から見た図である。
【００３２】
図４（４Ｂ）に示すように、土地１０の各区画Ｐ、ＲおよびＳの境界に境界杭１を立設する場合には、３つの蓋４ａ，４ｂ，４ｄを３つの直線溝２ａ，２ｂ，２ｄから取り外し、Ｔ字形状の溝２を露出させる。すなわち、蓋４ｃだけは、直線溝２ｃから外さない。図４では、溝２の露出をわかりやすくするため、露出した溝２の部分を斜線で示している。また、各タイル５の二次元コード６には、各区画Ｐ、ＲまたはＳに対応した情報がコード化されるように、各タイル５の位置を決める。次に、図４（４Ａ）の右上の凹部３にはタイル５を入れずに、他の３つの凹部３にのみタイル５を入れる。こうして、３区画Ｐ，ＲおよびＳに分割された土地１０に、それぞれの区画Ｐ，ＲおよびＳに対応した情報を配置するように境界杭１を立設することができる。
【００３３】
図５は、２つの区画ＰおよびＲに分割された土地１０に境界杭１を使用する場合について説明するための図である。（５Ａ）は、その場合に使用される境界杭１の上面を、（５Ｂ）は、境界杭１を土地１０の各区画ＰおよびＲの境界に埋設した状態を上空から見た図である。
【００３４】
図５（５Ｂ）に示すように、土地１０の各区画ＰおよびＲの境界に境界杭１を立設する場合には、２つの蓋４ａおよび４ｂを２つの直線溝２ａおよび２ｂから取り外し、一文字形状の溝２を露出させる。すなわち、蓋４ｃおよび４ｄは、それぞれ、直線溝２ｃおよび２ｄから外さない。図５では、溝２の露出をわかりやすくするため、露出した溝２の部分を斜線で示している。また、各タイル５の二次元コード６には、各区画ＰおよびＲに対応した情報がコード化されるように、各タイル５の位置を決める。次に、図５（５Ａ）の右上および右下の凹部３にはタイル５を入れずに、他の２つの凹部３にのみタイル５を入れる。こうして、２区画ＰおよびＲに分割された土地１０に、それぞれの区画ＰおよびＲに対応した情報を配置するように境界杭１を立設することができる。
【００３５】
なお、区画ＰおよびＲの境界に境界杭１を立設する場合、図５（５Ａ）に示す上面とせずに、図５（５Ａ）の右上および右下の両凹部３のみにタイル５を入れたり、左上および右下の両凹部３のみにタイル５を入れたり、あるいは右上および左下の両凹部３のみにタイル５を入れても良い。すなわち、区画ＰおよびＲにそれぞれ１個のタイル５が配置されるようにすれば、タイル５の配置は図５（５Ａ）に示す配置に限定されない。
【００３６】
図６は、図５に示す区画とは少し異なり、２つの区画ＰおよびＲに分割された土地１０に境界杭１を使用する場合について説明するための図である。（６Ａ）は、その場合に使用される境界杭１の上面を、（６Ｂ）は、境界杭１を土地１０の各区画ＰおよびＲの境界に埋設した状態を上空から見た図である。
【００３７】
図６（６Ｂ）に示すように、土地１０の各区画ＰおよびＲの境界に境界杭１を立設する場合には、２つの蓋４ｂおよび４ｄを２つの直線溝２ｂおよび２ｄから取り外し、クランク形状の溝２を露出させる。すなわち、蓋４ａおよび４ｃは、それぞれ、直線溝２ａおよび２ｃから外さない。図６では、溝２の露出をわかりやすくするため、露出した溝２の部分を斜線で示している。また、各タイル５の二次元コード６には、各区画ＰおよびＲに対応した情報がコード化されるように、各タイル５の位置を決める。次に、図６（６Ａ）の右上および左下の凹部３にはタイル５を入れずに、他の２つの凹部３にのみタイル５を入れる。こうして、２区画ＰおよびＲに分割された土地１０に、それぞれの区画ＰおよびＲに対応した情報を配置するように境界杭１を立設することができる。
【００３８】
なお、区画ＰおよびＲの境界に境界杭１を立設する場合、図６（６Ａ）に示す上面とせずに、図６（６Ａ）の右上および右下の両凹部３のみにタイル５を入れたり、あるいは左下および右下の両凹部３のみにタイル５を入れても良い。すなわち、区画ＰおよびＲにそれぞれ１個のタイル５が配置されるようにすれば、タイル５の配置は図６（６Ａ）に示す配置に限定されない。
【００３９】
このように、土地１０の区画の数および境界の形状に応じて直線溝２ａ，２ｂ，２ｃ，２ｄを露出させる箇所を選択し、かつその区画内に二次元コード６を配置させることができる。したがって、共通の境界杭１を当該土地１０に運んでから、その土地１０の境界の状況に応じた境界杭１の上面の調整作業をするだけで、境界杭１の適切な立設ができる。
【００４０】
なお、この実施の形態では、十字形状の溝２に嵌め込む蓋４を４つの蓋４ａ，４ｂ，４ｃ，４ｄから構成されるものとしているが、１つの十字形状の蓋４としても良い。境界の状態に応じて、十字形状の蓋４の一部を除外することにより、先の説明と同じ使用ができる。また、蓋４を、蓋４ａ、蓋４ｂおよび蓋４ｃから成る略Ｔ字形状の蓋と蓋４ｄとから構成したり、あるいは蓋４ａと蓋４ｂをつなげた一文字形状の蓋、蓋４ｃおよび蓋４ｄとから構成したりしても良い。
【００４１】
（第２の実施の形態）
図７は、本発明の第２の実施の形態に係る境界杭１の斜視図である。図７では、境界杭１の下方は省略されている。なお、第１の実施の形態の境界杭１と共通する部材には、共通の符号を付すものとする。
【００４２】
この境界杭１における地表に露出している上面は境界杭１の本体から上方にわずかにテーパー状に狭まって形成されている。境界杭１の上面は、略Ｔ字形状の溝２によって、３つの領域に分割されている。略Ｔ字形状の溝２は、その中心から３方向の直線溝から構成されている。この実施の形態では、直線溝を、境界杭１の長さ方向に略Ｖ字にへこむ溝としているが、かかる形状の溝に限定されない。直線溝を、例えば、Ｕ字形状あるいは四角形状としても良い。
【００４３】
直線溝には、それぞれ、各直線溝を埋める形状の蓋４ａ，４ｂ，４ｄが取り付けられている。この実施の形態では、各蓋４ａ，４ｂ，４ｄの形状は、各蓋４ａ，４ｂ，４ｄを各直線溝に取り付けた状態で境界杭１の上面が平滑になる形状としている。ただし、各蓋４ａ，４ｂ，４ｄの境界杭１の長さ方向における寸法を、各直線溝の深さ方向の寸法より長くしたりあるいは短くして、上面が平滑にならないようにしても良い。
【００４４】
この実施の形態では、各蓋４ａ，４ｂ，４ｄは、ゴム製若しくは軟質若しくは硬質プラスチック製であり、境界杭１はコンクリート製である。各蓋４ａ，４ｂ，４ｄの硬度と境界杭１の硬度とを異なるように、各蓋４ａ，４ｂ，４ｄの材料を選択することにより、各蓋４ａ，４ｂ，４ｄが各直線溝により密着しやすくなる。例えば、各蓋４ａ，４ｂ，４ｄをゴム製若しくは軟質若しくは硬質プラスチック製とし、境界杭１を金属製としても良い。また、境界杭１をコンクリート製、プラスチック製若しくはゴム製とし、各蓋４ａ，４ｂ，４ｄを金属製若しくはコンクリート製としても良い。
【００４５】
略Ｔ字形状の溝２によって分割された、上面における３つの領域には、それぞれ略直方体の凹部３が１つずつ設けられている。各凹部３には、それぞれ１個ずつ、凹部３の形状に合ったタイル５が嵌め込まれている。この実施の形態では、各タイル５の形状は、各タイル５を各凹部３に取り付けた状態で境界杭１の上面が平滑になる形状としている。ただし、各タイル５の境界杭１の長さ方向における寸法を、各凹部３の深さ方向の寸法より長くしたりあるいは短くして、上面が平滑にならないようにしても良い。
【００４６】
各タイル５には、その上面に二次元コード６が付けられている。二次元コード６の付け方および二次元コード６にコード化された情報の種類については、第１の実施の形態で説明したものと共通するので、その説明を省略する。
【００４７】
次に、第２の実施の形態の境界杭１の使用方法について説明する。
【００４８】
図８は、３つの区画Ｐ、ＲおよびＳに分割された土地１０に境界杭１を使用する場合について説明するための図である。（８Ａ）は、その場合に使用される境界杭１の上面を、（８Ｂ）は、境界杭１を土地１０の各区画Ｐ、ＲおよびＳの境界に埋設した状態を上空から見た図である。
【００４９】
図８（８Ｂ）に示すように、土地１０の各区画Ｐ、ＲおよびＳの境界に境界杭１を立設する場合には、３つの蓋４ａ，４ｂ，４ｄを３つの直線溝２ａ，２ｂ，２ｄから取り外し、Ｔ字形状の溝２を露出させる。図８では、溝２の露出をわかりやすくするため、露出した溝２の部分を斜線で示している。また、各タイル５の二次元コード６には、各区画Ｐ、ＲまたはＳに対応した情報がコード化されるように、各タイル５の位置を決める。次に、図８（８Ａ）に示すように、３つの凹部３にタイル５を１個ずつ入れる。こうして、３区画Ｐ，ＲおよびＳに分割された土地１０に、それぞれの区画Ｐ，ＲおよびＳに対応した情報を配置するように境界杭１を立設することができる。
【００５０】
図９は、２つの区画ＰおよびＲに分割された土地１０に境界杭１を使用する場合について説明するための図である。（９Ａ）は、その場合に使用される境界杭１の上面を、（９Ｂ）は、境界杭１を土地１０の各区画ＰおよびＲの境界に埋設した状態を上空から見た図である。
【００５１】
図９（９Ｂ）に示すように、土地１０の各区画ＰおよびＲの境界に境界杭１を立設する場合には、２つの蓋４ａおよび４ｂを２つの直線溝２ａおよび２ｂから取り外し、一文字形状の溝２を露出させる。すなわち、蓋４ｄは、直線溝２ｄから外さない。図９では、溝２の露出をわかりやすくするため、露出した溝２の部分を斜線で示している。また、各タイル５の二次元コード６には、各区画ＰおよびＲに対応した情報がコード化されるように、各タイル５の位置を決める。次に、図９（９Ａ）の右下の凹部３にはタイル５を入れずに、他の２つの凹部３にのみタイル５を入れる。こうして、２区画ＰおよびＲに分割された土地１０に、それぞれの区画ＰおよびＲに対応した情報を配置するように境界杭１を立設することができる。
【００５２】
なお、区画ＰおよびＲの境界に境界杭１を立設する場合、図９（９Ａ）に示す上面とせずに、図９（９Ａ）の上および右下の両凹部３のみにタイル５を入れても良い。すなわち、区画ＰおよびＲにそれぞれ１個のタイル５が配置されるようにすれば、タイル５の配置は図９（９Ａ）に示す配置に限定されない。
【００５３】
図１０は、図９に示す区画とは少し異なり、２つの区画ＰおよびＲに分割された土地１０に境界杭１を使用する場合について説明するための図である。（１０Ａ）は、その場合に使用される境界杭１の上面を、（１０Ｂ）は、境界杭１を土地１０の各区画ＰおよびＲの境界に埋設した状態を上空から見た図である。
【００５４】
図１０（１０Ｂ）に示すように、土地１０の各区画ＰおよびＲの境界に境界杭１を立設する場合には、２つの蓋４ｂおよび４ｄを２つの直線溝２ｂおよび２ｄから取り外し、クランク形状の溝２を露出させる。すなわち、蓋４ａは、直線溝２ａから外さない。図１０では、溝２の露出をわかりやすくするため、露出した溝２の部分を斜線で示している。また、各タイル５の二次元コード６には、各区画ＰおよびＲに対応した情報がコード化されるように、各タイル５の位置を決める。次に、図１０（１０Ａ）の左下の凹部３にはタイル５を入れずに、他の２つの凹部３にのみタイル５を入れる。こうして、２区画ＰおよびＲに分割された土地１０に、それぞれの区画ＰおよびＲに対応した情報を配置するように境界杭１を立設することができる。
【００５５】
なお、区画ＰおよびＲの境界に境界杭１を立設する場合、図１０（１０Ａ）に示す上面とせずに、図１０（１０Ａ）の左下および右下の両凹部３のみにタイル５を入れても良い。すなわち、区画ＰおよびＲにそれぞれ１個のタイル５が配置されるようにすれば、タイル５の配置は図１０（１０Ａ）に示す配置に限定されない。
【００５６】
このように、土地１０の区画の数および境界の形状に応じて直線溝２ａ，２ｂ，２ｄを露出させる箇所を選択し、かつその区画内に二次元コード６を配置させることができる。したがって、共通の境界杭１を当該土地１０に運んでから、その土地１０の境界の状況に応じた境界杭１の上面の調整作業をするだけで、境界杭１の適切な立設ができる。
【００５７】
なお、この実施の形態では、略Ｔ字形状の溝２に嵌め込む蓋４を３つの蓋４ａ，４ｂ，４ｄから構成されるものとしているが、１つの略Ｔ字形状の蓋４としても良い。境界の状態に応じて、略Ｔ字形状の蓋４の一部を除外することにより、先の説明と同じ使用ができる。また、蓋４を、蓋４ａと蓋４ｂをつなげた一文字形状の蓋と蓋４ｄとから構成しても良い。
【００５８】
（第３の実施の形態）
図１１は、本発明の第３の実施の形態に係る境界杭１の斜視図である。図１１では、境界杭１の下方は省略されている。なお、第１の実施の形態の境界杭１と共通する部材には、共通の符号を付すものとする。
【００５９】
この境界杭１における地表に露出している上面は境界杭１の本体から上方にわずかにテーパー状に狭まって形成されている。境界杭１の上面は、一文字形状の溝２によって、２つの領域に分割されている。一文字形状の溝２は、この実施の形態では、境界杭１の長さ方向に略Ｖ字にへこむ溝としているが、かかる形状の溝に限定されない。溝２を、例えば、Ｕ字形状あるいは四角形状としても良い。
【００６０】
溝２には、溝２を埋める形状の蓋４が取り付けられている。この実施の形態では、蓋４の形状は、蓋４を溝２に取り付けた状態で境界杭１の上面が平滑になる形状としている。ただし、蓋４の境界杭１の長さ方向における寸法を、溝２の深さ方向の寸法より長くしたりあるいは短くして、上面が平滑にならないようにしても良い。
【００６１】
この実施の形態では、蓋４は、ゴム製若しくは軟質若しくは硬質プラスチック製であり、境界杭１はコンクリート製である。蓋４の硬度と境界杭１の硬度とを異なるように、蓋４の材料を選択することにより、蓋４が溝２により密着しやすくなる。例えば、蓋４をゴム製若しくは軟質若しくは硬質プラスチック製とし、境界杭１を金属製としても良い。また、境界杭１をコンクリート製、プラスチック製若しくはゴム製とし、蓋４を金属製若しくはコンクリート製としても良い。
【００６２】
溝２によって分割された、上面における２つの領域には、それぞれ略直方体の凹部３が１つずつ設けられている。各凹部３には、それぞれ１個ずつ、凹部３の形状に合ったタイル５が嵌め込まれている。この実施の形態では、各タイル５の形状は、各タイル５を各凹部３に取り付けた状態で境界杭１の上面が平滑になる形状としている。ただし、各タイル５の境界杭１の長さ方向における寸法を、各凹部３の深さ方向の寸法より長くしたりあるいは短くして、上面が平滑にならないようにしても良い。
【００６３】
各タイル５には、その上面に二次元コード６が付けられている。二次元コード６の付け方および二次元コード６にコード化された情報の種類については、第１の実施の形態で説明したものと共通するので、その説明を省略する。
【００６４】
次に、第３の実施の形態の境界杭１の使用方法について説明する。
【００６５】
図１２は、２つの区画ＰおよびＲに分割された土地１０に境界杭１を使用する場合について説明するための図である。（１２Ａ）は、その場合に使用される境界杭１の上面を、（１２Ｂ）は、境界杭１を土地１０の各区画ＰおよびＲの境界に埋設した状態を上空から見た図である。
【００６６】
図１２（１２Ｂ）に示すように、土地１０の各区画ＰおよびＲの境界に境界杭１を立設する場合には、蓋４を溝２から取り外し、溝２を露出させる。図１２では、溝２の露出をわかりやすくするため、露出した溝２の部分を斜線で示している。また、各タイル５の二次元コード６には、各区画ＰおよびＲに対応した情報がコード化されるように、各タイル５の位置を決める。次に、両凹部３にタイル５を入れる。こうして、２区画ＰおよびＲに分割された土地１０に、それぞれの区画ＰおよびＲに対応した情報を配置するように境界杭１を立設することができる。
【００６７】
図１３は、土地１０の特定の区画内に境界杭１を使用する場合について説明するための図である。
【００６８】
図１３に示すように、土地１０の特定の区画内に境界杭１を立設する場合には、蓋４を溝２に嵌めたまま、１つの凹部３にのみタイル５を入れる。こうして、土地１０の特定の区画内に、その区画に対応した情報を持つ境界杭１を立設することができる。
【００６９】
このように、土地１０の区画の数および境界の形状に応じて溝２を露出したり露出しなかったりして、かつその区画内に二次元コード６を配置させることができる。したがって、共通の境界杭１を当該土地１０に運んでから、その土地１０の境界の状況に応じた境界杭１の上面の調整作業をするだけで、境界杭１の適切な立設ができる。
【００７０】
（第４の実施の形態）
図１４および図１５は、それぞれ、本発明の第４の実施の形態に係る境界杭１の分解斜視図および同境界杭１の斜視図である。なお、図１４および図１５では、境界杭１の下方は省略されている。
【００７１】
この境界杭１における地表に露出している上面は境界杭１の本体から上方にわずかにテーパー状に狭まって形成されている。境界杭１の上面の略中央には、略直方体の凹部３が１つ設けられている。凹部３には、その形状に合ったタイル５が嵌め込まれている。この実施の形態では、タイル５の形状は、タイル５を凹部３に取り付けた状態で境界杭１の上面が平滑になる形状としている。ただし、タイル５の境界杭１の長さ方向における寸法を、凹部３の深さ方向の寸法より長くしたりあるいは短くして、上面が平滑にならないようにしても良い。
【００７２】
タイル５には、その上面に二次元コード６が付けられている。二次元コード６の付け方および二次元コード６にコード化された情報の種類については、第１の実施の形態で説明したものと共通するので、その説明を省略する。
【００７３】
凹部３の各辺から上面のテーパー部分に向かって、それぞれ、直線溝１２ａ，１２ｂ，１２ｃ，１２ｄ（以後、これら直線溝１２ａ，１２ｂ，１２ｃ，１２ｄを総括する際には、「直線溝１２」と称する。）が設けられている。この実施の形態では、直線溝１２ａ，１２ｂ，１２ｃ，１２ｄを、境界杭１の長さ方向に略Ｖ字にへこむ溝としているが、かかる形状の溝に限定されない。直線溝１２ａ，１２ｂ，１２ｃ，１２ｄを、例えば、Ｕ字形状あるいは四角形状としても良い。
【００７４】
直線溝１２ａ，１２ｂ，１２ｃ，１２ｄには、それぞれ、各直線溝１２ａ，１２ｂ，１２ｃ，１２ｄを埋める形状の蓋１４ａ，１４ｂ，１４ｃ，１４ｄが取り付けられている。この実施の形態では、各蓋１４ａ，１４ｂ，１４ｃ，１４ｄの形状は、各蓋１４ａ，１４ｂ，１４ｃ，１４ｄを各直線溝１２ａ，１２ｂ，１２ｃ，１２ｄに取り付けた状態で境界杭１の上面が平滑になる形状としている。ただし、各蓋１４ａ，１４ｂ，１４ｃ，１４ｄの境界杭１の長さ方向における寸法を、各直線溝１２ａ，１２ｂ，１２ｃ，１２ｄの深さ方向の寸法より長くしたりあるいは短くして、上面が平滑にならないようにしても良い。
【００７５】
この実施の形態では、各蓋１４ａ，１４ｂ，１４ｃ，１４ｄは、ゴム製若しくは軟質若しくは硬質プラスチック製であり、境界杭１はコンクリート製である。各蓋１４ａ，１４ｂ，１４ｃ，１４ｄの硬度と境界杭１の硬度とを異なるように、各蓋１４ａ，１４ｂ，１４ｃ，１４ｄの材料を選択することにより、各蓋１４ａ，１４ｂ，１４ｃ，１４ｄが各直線溝１２ａ，１２ｂ，１２ｃ，１２ｄにより密着しやすくなる。例えば、各蓋１４ａ，１４ｂ，１４ｃ，１４ｄをゴム製若しくは軟質若しくは硬質プラスチック製とし、境界杭１を金属製としても良い。また、境界杭１をコンクリート製、プラスチック製若しくはゴム製とし、各蓋１４ａ，１４ｂ，１４ｃ，１４ｄを金属製若しくはコンクリート製としても良い。
【００７６】
次に、第４の実施の形態の境界杭１の使用方法について説明する。
【００７７】
図１６は、２つの区画ＰおよびＲに分割された土地１０に境界杭１を使用する場合について説明するための図である。（１６Ａ）は、その場合に使用される境界杭１の上面を、（１６Ｂ）は、境界杭１を土地１０の各区画ＰおよびＲの境界に埋設した状態を上空から見た図である。
【００７８】
図１６（１６Ｂ）に示すように、土地１０の各区画ＰおよびＲの境界に境界杭１を立設する場合には、２つの蓋１４ｂおよび１４ｄを２つの直線溝１２ｂおよび１２ｄから取り外し、クランク形状の溝１２を露出させる。すなわち、蓋１４ａおよび１４ｃは、それぞれ、直線溝１２ａおよび１２ｃから外さない。図１６では、溝１２の露出をわかりやすくするため、露出した溝１２の部分を斜線で示している。また、各タイル５の二次元コード６には、区画Ｒに対応した情報がコード化されるようにする。次に、凹部３にタイル５を入れる。こうして、２区画ＰおよびＲに分割された土地１０に、区画Ｒに対応した情報を配置するように境界杭１を立設することができる。
【００７９】
このように、複数の区画の内の１つの区画の情報だけをコード化したい場合には、区画の境界の状況に応じて直線溝１２の露出箇所を決めることができる。したがって、共通の境界杭１を当該土地１０に運んでから、その土地１０の境界の状況に応じた境界杭１の上面の調整作業をするだけで、境界杭１の適切な立設ができる。
【００８０】
（第５の実施の形態）
図１７は、本発明の第５の実施の形態に係る境界杭１の上面のみを示す図である。また、図１８は、第５の実施の形態の境界杭１を使用する例を説明するための図である。
【００８１】
この実施の形態の境界杭１は、先に説明した第４の実施の形態の境界杭１とほぼ同じ構造を有しているが、上面の孔３と角部との間に矢印１５を有している点だけが第４の実施の形態の境界杭１と異なる。矢印１５が存在することによって、より使用の範囲が拡がる。例えば、図１６（１６Ｂ）に示す区画の境界において、区画Ｐの情報を二次元コード６に格納しておきたい場合には、第４の実施の形態の境界杭１ではなく、第５の実施の形態の境界杭１を用いる方が好ましい。図１８（１８Ａ）に示すように、矢印１５を区画Ｐに向くようにして、直線溝１２ｂおよび１２ｄを露出させてから、第５の実施の形態の境界杭１を立設すれば良いからである。
【００８２】
また、図１８（１８Ｂ）に示す３つの区画Ｐ、ＱおよびＲの境界に境界杭１を立設する場合であって、区画Ｐの情報を二次元コード６に格納しておきたい場合には、矢印１５を区画Ｐに向くようにして、直線溝１２ａ、１２ｂおよび１２ｄを露出させてから、第５の実施の形態の境界杭１を立設すれば良い。
【００８３】
その他、図３（３Ｂ）に示す４区画に分割された土地１０に、区画Ｐのみの情報を二次元コード６に格納したい場合でも、第５の実施の形態の境界杭１は有益である。矢印１５を区画Ｐの方向を向くようにして、直線溝１２ａ，１２ｂ，１２ｃ，１２ｄを全て露出させた状態の境界杭１を境界に立設すれば良いからである。さらに、図９（９Ｂ）に示す２区画に分割された土地１０に、区画Ｐのみの情報を二次元コード６に格納したい場合でも、第５の実施の形態の境界杭１は有益である。矢印１５を区画Ｐの方向を向くようにして、直線溝１２ａおよび１２ｂのみを露出させた状態の境界杭１を境界に立設すれば良い。
【００８４】
（第６の実施の形態）
図１９は、本発明の第６の実施の形態に係る境界杭１の分解斜視図である。また、図２０は、図１９に示す境界杭１の上方から見た平面図（２０Ａ）および平面図におけるＸ−Ｘ線断面図（２０Ｂ）である。なお、図１９および図２０（２０Ｂ）では、境界杭１の下方は省略されている。
【００８５】
この境界杭１における地表に露出している上面１ａは境界杭１の本体から上方にわずかにテーパー状に狭まって形成されている。この実施の形態では、境界杭１における４つの上面角部にもテーパー部３０が設けられている。ただし、いずれのテーパー部分（テーパー部３０を含む上位概念）も境界杭１に必須の構造部分ではない。境界杭１の上面１ａの略中央には、略直方体の凹部３が１つ設けられている。凹部３には、その形状に合ったタイル５が嵌め込まれる。この実施の形態では、タイル５の形状は、タイル５を凹部３に取り付けた状態で境界杭１の上面１ａが平滑になる形状としている。ただし、タイル５の境界杭１の長さ方向における寸法を、凹部３の深さ方向の寸法より長くしたりあるいは短くして、上面１ａが平滑にならないようにしても良い。
【００８６】
タイル５には、その上面に二次元コード６が付けられている。二次元コード６の付け方および二次元コード６にコード化された情報の種類については、第１の実施の形態で説明したものと共通するので、その説明を省略する。
【００８７】
凹部３の各辺から上面１ａの４辺のテーパー部分に向かって、それぞれ、直線溝２２ａ，２２ｂ，２２ｃ，２２ｄが設けられている。さらに、凹部３の１つの角から上面１ａにおける１つのテーパ部３０に向かって、一本の直線溝２２ｅが設けられている。以後、これら直線溝２２ａ，２２ｂ，２２ｃ，２２ｄ，２２ｅを総括する際には、「直線溝２２」と称する。）が設けられている。この実施の形態では、直線溝２２ａ，２２ｂ，２２ｃ，２２ｄ，２２ｅを、境界杭１の長さ方向に略Ｖ字にへこむ溝としているが、かかる形状の溝に限定されない。直線溝２２ａ，２２ｂ，２２ｃ，２２ｄ，２２ｅを、例えば、Ｕ字形状あるいは四角形状としても良い。
【００８８】
直線溝２２ａ，２２ｂ，２２ｃ，２２ｄ，２２ｅには、それぞれ、各直線溝２２ａ，２２ｂ，２２ｃ，２２ｄ，２２ｅを埋める形状の蓋２４ａ，２４ｂ，２４ｃ，２４ｄ，２４ｅが取り付けられている。この実施の形態では、各蓋２４ａ，２４ｂ，２４ｃ，２４ｄ，２４ｅの形状は、各蓋２４ａ，２４ｂ，２４ｃ，２４ｄ，２４ｅを各直線溝２２ａ，２２ｂ，２２ｃ，２２ｄ，２２ｅに取り付けた状態で境界杭１の上面１ａが平滑になる形状としている。ただし、各蓋２４ａ，２４ｂ，２４ｃ，２４ｄ，２４ｅの境界杭１の長さ方向における寸法を、各直線溝２２ａ，２２ｂ，２２ｃ，２２ｄ，２２ｅの深さ方向の寸法より長くしたりあるいは短くして、上面１ａが平滑にならないようにしても良い。
【００８９】
この実施の形態では、各蓋２４ａ，２４ｂ，２４ｃ，２４ｄ，２４ｅは、ゴム製若しくは軟質若しくは硬質プラスチック製であり、境界杭１はコンクリート製である。各蓋２４ａ，２４ｂ，２４ｃ，２４ｄ，２４ｅの硬度と境界杭１の硬度とが異なるように、各蓋２４ａ，２４ｂ，２４ｃ，２４ｄ，２４ｅの材料を選択することにより、各蓋２４ａ，２４ｂ，２４ｃ，２４ｄ，２４ｅが各直線溝２２ａ，２２ｂ，２２ｃ，２２ｄ，２２ｅに、より密着しやすくなる。例えば、各蓋２４ａ，２４ｂ，２４ｃ，２４ｄ，２４ｅをゴム製若しくは軟質若しくは硬質プラスチック製とし、境界杭１を金属製としても良い。また、境界杭１をコンクリート製、プラスチック製若しくはゴム製とし、各蓋２４ａ，２４ｂ，２４ｃ，２４ｄ，２４ｅを金属製若しくはコンクリート製としても良い。
【００９０】
また、凹部３の底面３ａには、十字形状の溝２６が設けられている。この溝２６は、その中心から互いに直角な４方向に伸びる直線溝２６ａ，２６ｂ，２６ｃ，２６ｄから構成されている。このため、溝２６の中心の緯度および経度を、二次元コード６としてコードされている情報の一部に含めることができる。また、境界杭１は、土地１０の境界に立設してから何年も経過してから、タイル５を凹部３内に固定することが少なくない。境界杭１を立設した際に、その土地１０の境界の形状に合わせて直線溝２２を露出させ、かつ直線溝２６も直線溝２２と同じ形状に露出させておくことができる。その後何年か経過してタイル５を凹部３内に固定する際に、直線溝２２と直線溝２６の露出した形状の一致を確認することができる。この実施の形態では、直線溝２６は、コンクリートあるいは粘土等により埋めることができるように、蓋のない状態とされている。ただし、直線溝２２と同様、蓋をつけても良い。
【００９１】
次に、第６の実施の形態の境界杭１の使用方法について説明する。
【００９２】
図２１は、４つの区画Ｐ、Ｑ、ＲおよびＳに分割された土地１０に境界杭１を使用した状態を上空から見た図（２１Ａ）および３つの区画Ｐ、ＱおよびＲに分割された土地１０に境界杭１を使用した状態を上空から見た図（２１Ｂ）である。また、図２２は、２つの区画ＰおよびＲに分割された土地１０に境界杭１を使用した状態を上空から見た図である
【００９３】
図２１（２１Ａ）に示すように、土地１０の各区画Ｐ、Ｑ、ＲおよびＳの十字境界に境界杭１を立設し、かつその十字境界点の緯度および経度の情報を二次元コード６にコード化する場合には、４つの蓋２４ａ、２４ｂ、２４ｃおよび２４ｄをそれぞれ４つの直線溝２２ａ、２２ｂ、２２ｃおよび２２ｄから取り外し、十字形状の溝２２を露出させる。すなわち、蓋２４ａのみは、直線溝２２ｅから外さない。図２１（２１Ａ）では、溝２２の露出をわかりやすくするため、露出した溝２２の部分を斜線で示している。また、凹部３の底面３ｂに刻まれた直線溝２６も、直線溝２２の露出形状と同じ形状に露出させておく。その後、凹部３にタイル５を入れる。この際、直線溝２２と直線溝２６の両露出形状の一致を確認する。もし、一致していなければ、いたずら等により直線溝２２あるいは直線溝２６の状態を変更された可能性がある。その際には、土地１０の境界形状と、立設する境界杭１とを確認する。こうして、４区画Ｐ、Ｑ、ＲおよびＳに分割された土地１０に、その十字境界点の位置情報を二次元コード６として格納したタイル５を付けた境界杭１を立設することができる。なお、二次元コード６の略中央に印Ｙを付けることによって、タイル５の二次元コード６が十字境界の中心の位置情報をコード化していることを確認することもできる。
【００９４】
図２１（２１Ｂ）に示すＴ字形状の境界に境界杭１を立設し、かつそのＴ字形状の境界点の位置情報を二次元コード６にコード化する場合には、直線溝２２ａ、２２ｃおよび２２ｄのみを露出し、直線溝２２ｂおよび２２ｅはそれぞれ蓋２４ｂおよび２４ｅによって非露出状態とする。また、図２２に示すクランク形状の境界に境界杭１を立設し、かつそのクランク形状の境界点の位置情報を二次元コード６にコード化する場合には、直線溝２２ａおよび２２ｄのみを露出し、直線溝２２ｂ、２２ｃおよび２２ｅはそれぞれ蓋２４ｂ、２４ｃおよび２４ｅによって非露出状態とする。他の使用条件は、図２１（２１Ａ）に示す場合と同じである。
【００９５】
図２３は、４つの区画Ｐ、Ｑ、ＲおよびＳに分割された土地１０に境界杭１を使用した状態を上空から見た図（２３Ａ）および３つの区画Ｐ、ＱおよびＲに分割された土地１０に境界杭１を使用した状態を上空から見た図（２３Ｂ）である。また、図２４は、２つの区画ＰおよびＲに分割された土地１０に境界杭１を使用した状態を上空から見た図である
【００９６】
図２３（２３Ａ）に示すように、土地１０の各区画Ｐ、Ｑ、ＲおよびＳの十字境界に境界杭１を立設し、かつ区画Ｓ内のポイントＺの緯度および経度の情報を二次元コード６にコード化する場合には、５つの蓋２４ａ、２４ｂ、２４ｃ、２４ｄおよび２４ｅをそれぞれ５つの直線溝２２ａ、２２ｂ、２２ｃ、２２ｄおよび２２ｅから取り外し、全ての溝２２を露出させる。図２３（２３Ａ）では、溝２２の露出をわかりやすくするため、露出した溝２２の部分を斜線で示している。また、凹部３の底面３ｂに刻まれた直線溝２６も、直線溝２２の露出形状と同じ形状に露出させておく。その後、凹部３にタイル５を入れる。この際、直線溝２２と直線溝２６の両露出形状の一致を確認する。もし、一致していなければ、いたずら等により直線溝２２あるいは直線溝２６の状態を変更された可能性がある。その際には、土地１０の境界形状と、立設する境界杭１とを確認する。こうして、４区画Ｐ、Ｑ、ＲおよびＳに分割された土地１０に、そのポイントＺの位置情報を二次元コード６として格納したタイル５を付けた境界杭１を立設することができる。この場合、二次元コード６の略中央に、先に示した印Ｙはない。すなわち、十字境界点の位置以外の位置情報を二次元コード６にコード化したい場合には、直線溝２２ｅを露出させ、その位置をわかるようにする。そして、中央に印Ｙのない二次元コード６を付したタイル５を用いるようにする。
【００９７】
図２３（２３Ｂ）に示すＴ字形状の境界に境界杭１を立設し、かつ区画Ｒ内のポイントＺの緯度および経度の情報を二次元コード６にコード化する場合には、直線溝２２ａ、２２ｃ、２２ｄおよび２２ｅを露出し、直線溝２２ｂのみは蓋２４ｂによって非露出状態とする。また、図２４に示すクランク形状の境界に境界杭１を立設し、かつ区画Ｒ内のポイントＺの緯度および経度の情報を二次元コード６にコード化する場合には、直線溝２２ａ２２ｄおよび２２ｅのみを露出し、直線溝２２ｂおよび２２ｃはそれぞれ蓋２４ｂおよび２４ｃによって非露出状態とする。他の使用条件は、図２３（２３Ａ）に示す場合と同じである。
【００９８】
図２５は、タイル５に付された二次元コード６の他に、付随情報４０を付した例を示す図である。
【００９９】
二次元コード６を、例えばカメラによって撮影し、その撮影によって得られた画像データをデコードすることによって、コード化された情報が入手できる。この場合、カメラとデコード処理をするソフトウェアのいずれか一方が欠けても、コード化された情報を入手できない。その土地に来る者にとっては、目視によって一部の情報が判る方が好ましい場合もある。さらに、二次元コード６を撮影する場合に、ピントが合わないためにデコード処理ができないといった不具合が生じることもある。そこで、二次元コード６の周囲に、最低限、目視で判別できる情報（付随情報４０）を配置して、上記不都合を解消するようにしても良い。図２５では、付随情報４０として、その区画を所有する企業名、その区画内に家屋を建設する企業名、その企業のホームページアドレス、およびその区画の住所が二次元コード６の周囲に配置されている。ただし、付随情報４０は、これらに限定されない。
また、図２５（２５Ｂ）に示すように、図２５（２５Ａ）に示す二次元コード６に加えて、その内部に印Ｙを付けても良い。印Ｙが付されることによって、二次元コード６の一部がつぶされるが、デコードできる程度の大きさの印Ｙを付すことによって、デコードに支障が生じないようにすることができる。
【０１００】
以上説明したように、境界杭１は、その上面に、その上面を複数の領域に分割する溝２を有し、上記領域に凹部３を備えているため、土地１０の区画を分割している境界に対応して、境界杭１を立設でき、その区画の情報を格納した記録媒体（一例として、二次元コード６付きのタイル５）を凹部３に嵌め込むことによって、当該区画の情報を現場に保持しておくことができる。境界に対応した溝２を形成するためには、境界に合致しない溝２を、粘土あるいはコンクリートで埋めると良い。
【０１０１】
また、境界杭１は、境界杭１の上面から見て、十文字、略Ｔ字または一文字のいずれかの形状を有する溝２を備えている。このため、区画間の境界の形状に適応しやすくなる。一文字形状の溝２の場合には、境界杭１は、区画内に立設する場合と、２区画の直線的な境界に立設する場合とに対応できる。また、略Ｔ字形状の溝２の場合には、境界杭１は、区画内に立設する場合と、２区画の直線的境界若しくはクランク形状の境界に立設する場合と、略Ｔ字形状の境界に立設する場合とに対応できる。さらに、十文字形状の溝２の場合には、境界杭１は、区画内に立設する場合と、２区画の直線的境界若しくはクランク形状の境界に立設する場合と、略Ｔ字形状の境界に立設する場合と、マス目形状の境界に立設する場合とに対応できる。
【０１０２】
また、境界杭１は、その上面に設けられる１つの凹部３と、その凹部３から上面における少なくとも２方向の端部に向かって伸びる溝２とを備えている。このため、区画間の境界の形状に適応し、その区画の内の１つの区画の情報を格納した記録媒体（一例として、二次元コード６付きのタイル５）を凹部３に嵌め込むことによって、１つの区画の情報を現場に保持させることができる。境界に対応した溝２を形成するためには、境界に合致しない溝２を、粘土あるいはコンクリートで埋めると良い。この場合、記録媒体の情報がどの区画の情報かを明確にするために、タイル５上に記述しておくと良い。
【０１０３】
また、境界杭１は、その上面に、その上面を複数の領域に分割する溝２を有し、領域の少なくとも１つの領域に、二次元コード６を表面に出した状態で備えられた二次元コード付きブロック（一例として、タイル５）を備えている。このため、土地１０の区画を分割している境界に対応して、境界杭１を立設でき、その区画の内の少なくとも１つの区画の情報を現場に保持しておくことができる。境界に対応した溝２を形成するためには、境界に合致しない溝２を埋めると良い。
【０１０４】
また、境界杭１は、その上面に、二次元コード６を表面に出した状態で備えられた１つの二次元コード付きブロック（一例として、タイル５）と、その二次元コード付きブロックから上面における少なくとも２方向の端部に向かって伸びる溝２とを備えている。このため、区画間の境界の形状に適応し、その区画の内の１つの区画の情報を現場に保持させることができる。境界に対応した溝２を形成するためには、境界に合致しない溝２を埋めると良い。この場合、二次元コード６の情報がどの区画の情報かを明確にするために、タイル５上に記述しておくと良い。
【０１０５】
また、境界杭１は、溝２に蓋４を有しているため、区画の境界に合うように蓋４の一部または全部を除外するだけで、境界杭１の上面の溝２と境界とが合致する。
【０１０６】
また、境界杭１は、蓋４を溝２に複数個備え、蓋４を外して露出させる溝２の形状を変更可能にしている。このため、必要な蓋４のみを残して、他を取り外すだけで、境界杭１の上面の溝２と区画の境界の形状とを容易に合致させることができる。
【０１０７】
また、境界杭１は、蓋４を、境界杭１よりも柔らかい材料で形成している。このため、境界に合った溝２を形成しやすい。
【０１０８】
また、境界杭１を石製または金属製とし、蓋４を樹脂製またはゴム製としているので、現場に持ち込んだ刃物、彫刻刀等によって、溝２を容易に形成できる。
【０１０９】
本発明の境界杭１は、上述の各実施の形態に限定されずに、種々の変更を施して実施可能である。
【０１１０】
上述の各実施の形態では、溝２によって分割された領域の数だけタイル５を嵌め込む凹部３を備える境界杭１につき説明したが、凹部３のない領域があっても良い。また、上述の各実施の形態では、上面が４個以下の領域に分割されている境界杭１につき説明したが、５個以上の領域に分割されている境界杭１であっても良い。
【０１１１】
また、上述の各実施の形態では、タイル５は、凹部３に嵌め込まれることによって境界杭１に固定されていたが、かかる固定方法に限定されない。例えば、凹部３に替えて、凸部を備え、タイル５の底面に当該凸部が入る凹部を備え、タイル５を境界杭１の上面に固定できるようにしても良い。また、凹部３を境界杭１に設けずに、接着剤等によってタイル５を境界杭１に貼り付けるようにしても良い。また、タイル５は必須の部材ではなく、二次元コード６が存在しさえすれば、金属板、樹脂板、木材の板等でも良い。
【０１１２】
また、上面の溝２に替えて、凸状のラインとしても良い。その場合、土地１０の境界線に合致するように、一部の凸部のラインを残し、不要な凸部のラインを切除することができる。こうすることによって、境界杭１の凸状のラインが区画間の境界と合致する。
【０１１３】
また、溝２あるいは上記凸状のラインを、一点を中心に６以上の方向に放射される放射形状にしても良い。また、３本の溝２が存在する場合であっても、略Ｔ字形状以外の形状でも良い。例えば、各溝２が一点から放射され、かつ各溝２が時計回りに鋭角の間隔をあけて放射される矢印状のものでも良い。
【０１１４】
第４および第５の実施の形態の境界杭１において、直線溝２を４つとせずに、３つ、２つ、あるいは５以上としても良い。また、第４の実施の形態の境界杭１は、凹部３を上面の中央に備えているが、中央からずれた位置に凹部３を備えても良い。このように、中央からずれた位置に凹部３を設けると、図１６（１６Ｂ）に示す境界に境界杭１を立設する場合に、区画Ｐの情報をコード化した二次元コード６を持つタイル５を使用できる。すなわち、凹部３を、図１６（１６Ａ）に示す状態におけるやや左上方に配置しておくと、図１６（１６Ｂ）の境界に境界杭１を立設した際に、区画Ｐ側に寄った位置に配置される。すると、タイル５上の二次元コード６の情報が、一目で区画Ｐの情報であると認識できることになる。凹部３が中央の場合には、第５の実施の形態の境界杭１のように、矢印１５がない限り、区画Ｒの情報であるとの誤解が生じやすいからである。
【０１１５】
また、第６の実施の形態の境界杭１において、斜め方向に伸びる直線溝は直線溝２２ｅのみであるが、複数本の斜め方向に伸びる直線溝を設けても良い。さらに、凹部３の底面３ａに刻まれた十字形状の溝２６を、境界杭１の上面１ａに刻まれた溝２２と同じ形状としても良い。また、底面３ａに、溝２６を一切設けずに、底面３ａの中心に孔若しくは凹部だけを設けても良い。このようにすると、土地１０の境界点を当該孔若しくは凹部で示すことができるからである。
【０１１６】
また、上述の各実施の形態の境界杭１の長さ方向を短くして、境界杭１の裏側に釘等の凸部材を付けて、土地１０に刺して使用するようにしても良い。
【０１１７】
また、溝２の内側面若しくは底面にレールを設け、そのレールと合う側面若しくは底面を持つ蓋４とし、蓋４の脱着を溝２にスライド式に挿脱可能に構成しても良い。特に、溝２が境界杭１の長さ方向に四角形状である場合に有効である。また、溝２を、境界杭１の側面であって、かつ溝２の開口部側から見た際に、当該開口部の形状を底辺の大きな台形としても良い。かかる場合、溝２の上面側が溝２の内方よりも狭いので、蓋４を溝２の上面側から入れることは難しくなる。したがって、境界杭１の側面側から蓋４を挿脱する構成が好ましい。加えて、かかる構成を採用すると、境界杭１の運搬中に、蓋４が外れてなくなるという危険性も低減する。なお、蓋４は、境界杭１よりも硬い材料で構成されていても良い。また、二次元コード６に替えて、バーコードを採用しても良い。
【産業上の利用可能性】
【０１１８】
本発明は、土地の境界に立設する杭を製造する産業、その杭を使用する測量業、家屋の設計業等に利用できる。
【図面の簡単な説明】
【０１１９】
【図１】本発明の第１の実施の形態に係る境界杭の分解斜視図である。
【図２】本発明の第１の実施の形態に係る境界杭の斜視図である。
【図３】図２に示す境界杭を、４つの区画に分割された土地に使用する場合について説明するための図であり、（３Ａ）は、その場合に使用される境界杭の上面を、（３Ｂ）は、境界杭を土地の各区画の境界に埋設した様子を上空から見た状態を、それぞれ示す図である。
【図４】図２に示す境界杭を、３つの区画に分割された土地に使用する場合について説明するための図であり、（４Ａ）は、その場合に使用される境界杭の上面を、（４Ｂ）は、境界杭を土地の各区画の境界に埋設した様子を上空から見た状態を、それぞれ示す図である。
【図５】図２に示す境界杭を、２つの区画に分割された土地に使用する場合について説明するための図であり、（５Ａ）は、その場合に使用される境界杭の上面を、（５Ｂ）は、境界杭を土地の各区画の境界に埋設した様子を上空から見た状態を、それぞれ示す図である。
【図６】図２に示す境界杭を、２つの区画に分割された土地に使用する場合について説明するための図であり、（６Ａ）は、その場合に使用される境界杭の上面を、（６Ｂ）は、境界杭を土地の各区画の境界に埋設した様子を上空から見た状態を、それぞれ示す図である。
【図７】本発明の第２の実施の形態に係る境界杭の斜視図である。
【図８】図７に示す境界杭を、３つの区画に分割された土地に使用する場合について説明するための図であり、（８Ａ）は、その場合に使用される境界杭の上面を、（８Ｂ）は、境界杭を土地の各区画の境界に埋設した様子を上空から見た状態を、それぞれ示す図である。
【図９】図７に示す境界杭を、２つの区画に分割された土地に使用する場合について説明するための図であり、（９Ａ）は、その場合に使用される境界杭の上面を、（９Ｂ）は、境界杭を土地の各区画の境界に埋設した様子を上空から見た状態を、それぞれ示す図である。
【図１０】図７に示す境界杭を、２つの区画に分割された土地に使用する場合について説明するための図であり、（１０Ａ）は、その場合に使用される境界杭の上面を、（１０Ｂ）は、境界杭を土地の各区画の境界に埋設した様子を上空から見た状態を、それぞれ示す図である。
【図１１】本発明の第３の実施の形態に係る境界杭の斜視図である。
【図１２】図１１に示す境界杭を、２つの区画に分割された土地に使用する場合について説明するための図であり、（１２Ａ）は、その場合に使用される境界杭の上面を、（１２Ｂ）は、境界杭を土地の各区画の境界に埋設した様子を上空から見た状態を、それぞれ示す図である。
【図１３】図１１に示す境界杭を土地の特定の区画内に使用する場合について説明するための図である。
【図１４】本発明の第４の実施の形態に係る境界杭の分解斜視図である。
【図１５】本発明の第４の実施の形態に係る境界杭の斜視図である。
【図１６】図１５に示す境界杭を、２つの区画に分割された土地に使用する場合について説明するための図であり、（１６Ａ）は、その場合に使用される境界杭の上面を、（１６Ｂ）は、境界杭を土地の各区画の境界に埋設した様子を上空から見た状態を、それぞれ示す図である。
【図１７】本発明の第５の実施の形態に係る境界杭の上面のみを示す図である。
【図１８】図１７に示す境界杭を使用する例を説明するための図である。
【図１９】本発明の第６の実施の形態に係る境界杭の分解斜視図である。
【図２０】図１９に示す境界杭の上方から見た平面図（２０Ａ）および平面図におけるＸ−Ｘ線断面図（２０Ｂ）である。
【図２１】図１９に示す境界杭を、４つ若しくは３つの区画に分割された土地に使用し、かつその境界点の位置情報を二次元コードとして格納したい場合について説明するための図であり、（２１Ａ）は、４つの区画に分割された土地に境界杭を使用した状態を上空から見た図であり、（２１Ｂ）は、３つの区画に分割された土地に境界杭を使用した状態を上空から見た図である。
【図２２】図１９に示す境界杭を、２つの区画に分割された土地に境界杭を使用した状態を上空から見た図である。
【図２３】図１９に示す境界杭を、４つ若しくは３つの区画に分割された土地に使用し、かつその一部の区画内の場所の位置情報を二次元コードとして格納したい場合について説明するための図であり、（２３Ａ）は、４つの区画に分割された土地に境界杭を使用した状態を上空から見た図であり、（２３Ｂ）は、３つの区画に分割された土地に境界杭を使用した状態を上空から見た図である。
【図２４】図１９に示す境界杭を、２つの区画に分割された土地に使用し、かつその１つの区画内の場所の位置情報を二次元コードとして格納したい場合に境界杭を立設した状態を上空から見た図である
【図２５】各実施の形態で説明したタイルに付された二次元コードの他に、付随情報を付したタイルの一例を示す図であり、（２５Ａ）は二次元コードの周囲に付随情報を配置した例を、（２５Ｂ）は二次元コードの周囲に配置した付随情報に加えて、二次元コード内に印を付した例を、それぞれ示す。
【符号の説明】
【０１２０】
１  境界杭
２  溝
２ａ，２ｂ，２ｃ，２ｄ  直線溝
３  凹部
４  蓋
４ａ，４ｂ，４ｃ，４ｄ  蓋
５  タイル（二次元コード付きブロック）
６  二次元コード
１０  土地
１２  溝
１２ａ，１２ｂ，１２ｃ，１２ｄ  直線溝
１４  蓋
１４ａ，１４ｂ，１４ｃ，１４ｄ  蓋
２２  溝
２２ａ，２２ｂ，２２ｃ，２２ｄ，２２ｅ  直線溝
２４  蓋
２４ａ，２４ｂ，２４ｃ，２４ｄ，２４ｅ  蓋
【図１】
2006078427.tif 000003
【図２】
2006078427.tif 000004
【図３】
2006078427.tif 000005
【図４】
2006078427.tif 000006
【図５】
2006078427.tif 000007
【図６】
2006078427.tif 000008
【図７】
2006078427.tif 000009
【図８】
2006078427.tif 000010
【図９】
2006078427.tif 000011
【図１０】
2006078427.tif 000012
【図１１】
2006078427.tif 000013
【図１２】
2006078427.tif 000014
【図１３】
2006078427.tif 000015
【図１４】
2006078427.tif 000016
【図１５】
2006078427.tif 000017
【図１６】
2006078427.tif 000018
【図１７】
2006078427.tif 000019
【図１８】
2006078427.tif 000020
【図１９】
2006078427.tif 000021
【図２０】
2006078427.tif 000022
【図２１】
2006078427.tif 000023
【図２２】
2006078427.tif 000024
【図２３】
2006078427.tif 000025
【図２４】
2006078427.tif 000026
【図２５】
2006078427.tif 000027